(57)【要約】  本発明は、作業者に煩雑な入力操作を要求することなく、作業の様子を撮影した画像を蓄積可能とする手段を提供する。端末装置１１はカメラを内蔵する移動通信端末装置であり、携帯電話網８およびインターネット９を介してサーバ装置１３をデータ通信可能である。作業場７において作業を行う作業者は、端末装置１１を用いてサーバ装置１３にアクセスし、サーバ装置１３から自分が担当する作業内容のリストを端末装置１１に表示させる。作業者が開始する作業に応じた作業内容をリストから選択した後、記録開始の操作を行うと、端末装置１１はカメラにより所定の時間間隔で撮影した画像データを順次、サーバ装置１３に送信する。画像データは、記録対象の作業内容を識別するデータと対応付けてサーバ装置１３に記憶される。作業の管理者等は端末装置１５を用いてサーバ装置１３にアクセスし、過去に行われた作業の様子を画像により確認することができる。
2016143749.tif 000002
【特許請求の範囲】
【請求項１】
サーバ装置に作業内容の検索条件を示す検索条件データを送信する送信手段と、
前記検索条件データの送信に対する応答として前記サーバ装置から送信されてくる作業内容を示す作業内容データを受信する受信手段と、
前記作業内容データが示す作業内容を表示装置に表示させる表示指示手段と、
記録の開始指示を示す開始指示データと、記録の終了指示を示す終了指示データとを取得する指示取得手段と、
撮影装置により生成された画像データを取得する画像取得手段と
を備え、
前記送信手段は、前記開始指示データが示す開始指示に従うタイミングから、前記終了指示データが示す終了指示に従うタイミングまでの期間に前記撮影装置により生成された画像データを前記サーバ装置に送信する
端末装置。
【請求項２】
前記受信手段が前記検索条件データの送信に対する応答として複数の作業内容データを受信した場合、前記複数の作業内容データのなかからユーザにより選択された作業内容データを識別する作業識別データを取得する作業識別取得手段を備え、
前記送信手段は、前記作業識別データを前記サーバ装置に送信する
請求項１に記載の端末装置。
【請求項３】
作業に関係する物理量を計測する計測装置により生成された計測結果データを取得する計測結果取得手段を備え、
前記送信手段は、前記期間に前記計測装置により生成された計測結果データを前記サーバ装置に送信する
請求項１または２に記載の端末装置。
【請求項４】
前記送信手段は、前記開始指示データおよび前記終了指示データに基づき特定される前記作業内容データに応じた作業時間帯を示す作業時間帯データを前記サーバ装置に送信する
請求項１乃至３のいずれか１項に記載の端末装置。
【請求項５】
前記画像取得手段は、予め定められた条件が満たされたタイミングで前記撮影装置により生成された静止画を示す画像データを取得し、
前記送信手段は、前記期間に前記撮影装置により生成された、各々が静止画を示す複数の画像データを前記サーバ装置に送信する
請求項１乃至４のいずれか１項に記載の端末装置。
【請求項６】
前記受信手段は、前記作業内容データに応じた撮影タイミングに関する条件を示す撮影タイミング条件データを前記サーバ装置から受信し、
前記画像取得手段は、前記撮影タイミング条件データが示す条件が満たされたタイミングで前記撮影装置により生成された静止画を示す画像データを取得する
請求項５に記載の端末装置。
【請求項７】
前記撮影装置を内蔵する移動通信端末装置である
請求項１乃至６のいずれか１項に記載の端末装置。
【請求項８】
端末装置から作業内容の検索条件を示す検索条件データを受信する受信手段と、
前記検索条件データが示す検索条件を満たす作業内容を示す作業内容データを記憶装置から読み出す読出手段と、
前記作業内容データを前記端末装置に送信する送信手段と
を備え、
前記受信手段は、前記端末装置から画像データを受信し、
前記画像データを、前記作業内容データを識別する作業識別データに対応付けて前記記憶装置に記憶させる記憶指示手段を備える
サーバ装置。
【請求項９】
前記読出手段が、前記検索条件を満たす作業内容を各々示す複数の作業内容データを記憶装置から読み出した場合、
前記送信手段は、前記複数の作業内容データを前記端末装置に送信し、
前記受信手段は、前記端末装置から、前記複数の作業内容データのなかから前記端末装置のユーザにより選択された作業内容データを識別する作業識別データを受信し、
前記記憶指示手段は、前記画像データを、前記受信手段により受信された作業識別データに対応付けて前記記憶装置に記憶させる
請求項８に記載のサーバ装置。
【請求項１０】
前記受信手段は、前記端末装置から作業に関係する物理量の計測結果を示す計測結果データを受信し、
前記記憶指示手段は、前記計測結果データを前記作業識別データに対応付けて前記記憶装置に記憶させる
請求項８または９に記載のサーバ装置。
【請求項１１】
前記作業内容データに応じた作業時間帯を示す作業時間帯データを取得する作業時間帯取得手段と、
前記作業内容データに応じた作業位置を示す作業位置データを取得する作業位置取得手段と、
前記作業時間帯データが示す時間帯の前記作業位置データが示す作業位置における前記作業内容データに応じた作業に影響を与える事象を示す事象データを取得する事象取得手段と
を備え、
前記記憶指示手段は、前記事象データを前記作業識別データに対応付けて前記記憶装置に記憶させる
請求項８乃至１０のいずれか１項に記載のサーバ装置。
【請求項１２】
前記受信手段は、前記端末装置から各々が静止画を示す複数の画像データを受信し、
前記記憶指示手段は、前記複数の画像データを前記作業識別データに対応付けて前記記憶装置に記憶させる
請求項８乃至１１のいずれか１項に記載のサーバ装置。
【請求項１３】
前記読出手段は、前記作業内容データに応じた撮影タイミングに関する条件を示す撮影タイミング条件データを前記記憶装置から読み出し、
前記送信手段は、前記撮影タイミング条件データを前記端末装置に送信する
請求項１２に記載のサーバ装置。
【請求項１４】
前記記憶指示手段は、前記作業識別データに応じたフォルダを前記記憶装置に作成させ、前記受信手段により受信された複数の画像データを当該フォルダに格納させる
請求項１３に記載のサーバ装置。
【請求項１５】
前記受信手段は、前記作業内容データに応じた作業時間帯を示す作業時間帯データを前記端末装置から受信し、
前記記憶指示手段は、前記作業時間帯データを前記作業識別データに対応付けて前記記憶装置に記憶させ、
前記読出手段は、或る作業対象に関する複数の作業内容の各々に関し、当該作業内容を識別する作業識別データに対応付けて記憶されている作業時間帯データを前記記憶装置から読み出し、
前記読出手段により読み出された作業時間帯データに基づき、前記或る作業対象に関する複数の作業内容に応じた作業の各々が行われた時間長または時間帯を示す作業実績データを生成する作業実績生成手段を備える
請求項８乃至１４のいずれか１項に記載のサーバ装置。
【請求項１６】
前記受信手段は、前記作業内容データに応じた作業時間帯を示す作業時間帯データを前記端末装置から受信し、
前記記憶指示手段は、前記作業時間帯データを前記作業識別データに対応付けて前記記憶装置に記憶させ、
前記読出手段は、複数の作業対象に関する同一または類似の作業内容の各々に関し、当該作業内容を識別する作業識別データに対応付けて記憶されている作業時間帯データを前記記憶装置から読み出し、
前記読出手段により読み出された作業時間帯データに基づき、前記同一または類似の作業内容に応じた作業の所要時間の統計量を示す所要時間データを生成する所要時間生成手段を備える
請求項８乃至１５のいずれか１項に記載のサーバ装置。
【請求項１７】
コンピュータに、
サーバ装置に作業内容の検索条件を示す検索条件データを送信する処理と、
前記検索条件データの送信に対する応答として前記サーバ装置から送信されてくる作業内容を示す作業内容データを受信する処理と、
前記作業内容データが示す作業内容を表示装置に表示させる処理と、
記録の開始指示を示す開始指示データと、記録の終了指示を示す終了指示データとを取得する処理と、
撮影装置により生成された画像データを取得する処理と、
前記開始指示データが示す開始指示に従うタイミングから、前記終了指示データが示す終了指示に従うタイミングまでの期間に前記撮影装置により生成された画像データを前記サーバ装置に送信する処理と
を実行させるためのプログラム。
【請求項１８】
コンピュータに、
端末装置から作業内容の検索条件を示す検索条件データを受信する処理と、
前記検索条件データが示す検索条件を満たす作業内容を示す作業内容データを記憶装置から読み出す処理と、
前記作業内容データを前記端末装置に送信する処理と、
前記端末装置から画像データを受信する処理と、
前記画像データを、前記作業内容データを識別する作業識別データに対応付けて前記記憶装置に記憶させる処理と
を実行させるためのプログラム。
【発明の詳細な説明】
【技術分野】
【０００１】
本発明は、作業の様子を画像により記録するための技術に関する。
【背景技術】
【０００２】
作業の様子を撮影した画像を記憶しておき、必要に応じて画像を読み出して表示させることにより、過去に行われた作業の様子を確認できるようにした仕組みが提案されている。例えば、本願の出願人による出願にかかる特許文献１に記載の仕組みにおいては、作業場毎に設けられた撮影装置が撮影した画像が蓄積され、表示装置に表示される複数の進捗表示欄のなかからユーザによりいずれかの進捗表示欄が特定されると、当該特定された進捗表示欄に応じた画像が表示装置に表示される。
【先行技術文献】
【特許文献】
【０００３】
【特許文献１】特許第５４１６３２２号明細書
【発明の概要】
【発明が解決しようとする課題】
【０００４】
本発明の目的は、作業者に煩雑な入力操作を要求することなく、作業の様子を撮影した画像を蓄積可能とすることである。
【課題を解決するための手段】
【０００５】
本発明は、サーバ装置に作業内容の検索条件を示す検索条件データを送信する送信手段と、前記検索条件データの送信に対する応答として前記サーバ装置から送信されてくる作業内容を示す作業内容データを受信する受信手段と、前記作業内容データが示す作業内容を表示装置に表示させる表示指示手段と、記録の開始指示を示す開始指示データと、記録の終了指示を示す終了指示データとを取得する指示取得手段と、撮影装置により生成された画像データを取得する画像取得手段とを備え、前記送信手段は、前記開始指示データが示す開始指示に従うタイミングから、前記終了指示データが示す終了指示に従うタイミングまでの期間に前記撮影装置により生成された画像データを前記サーバ装置に送信する端末装置を提供する。【０００６】
上記の端末装置において、前記受信手段が前記検索条件データの送信に対する応答として複数の作業内容データを受信した場合、前記複数の作業内容データのなかからユーザにより選択された作業内容データを識別する作業識別データを取得する作業識別取得手段を備え、前記送信手段は、前記作業識別データを前記サーバ装置に送信する、という構成が採用されてもよい。【０００７】
また、上記の端末装置において、作業に関係する物理量を計測する計測装置により生成された計測結果データを取得する計測結果取得手段を備え、前記送信手段は、前記期間に前記計測装置により生成された計測結果データを前記サーバ装置に送信する、という構成が採用されてもよい。【０００８】
また、上記の端末装置において、前記送信手段は、前記開始指示データおよび前記終了指示データに基づき特定される前記作業内容データに応じた作業時間帯を示す作業時間帯データを前記サーバ装置に送信する、という構成が採用されてもよい。【０００９】
また、上記の端末装置において、前記画像取得手段は、予め定められた条件が満たされたタイミングで前記撮影装置により生成された静止画を示す画像データを取得し、前記送信手段は、前記期間に前記撮影装置により生成された、各々が静止画を示す複数の画像データを前記サーバ装置に送信する、という構成が採用されてもよい。【００１０】
また、上記の端末装置において、前記受信手段は、前記作業内容データに応じた撮影タイミングに関する条件を示す撮影タイミング条件データを前記サーバ装置から受信し、前記画像取得手段は、前記撮影タイミング条件データが示す条件が満たされたタイミングで前記撮影装置により生成された静止画を示す画像データを取得する、という構成が採用されてもよい。【００１１】
また、上記の端末装置において、前記撮影装置を内蔵する移動通信端末装置である、という構成が採用されてもよい。【００１２】
また、本発明は、端末装置から作業内容の検索条件を示す検索条件データを受信する受信手段と、前記検索条件データが示す検索条件を満たす作業内容を示す作業内容データを記憶装置から読み出す読出手段と、前記作業内容データを前記端末装置に送信する送信手段とを備え、前記受信手段は、前記端末装置から画像データを受信し、前記画像データを、前記作業内容データを識別する作業識別データに対応付けて前記記憶装置に記憶させる記憶指示手段を備えるサーバ装置を提供する。【００１３】
上記のサーバ装置において、前記読出手段が、前記検索条件を満たす作業内容を各々示す複数の作業内容データを記憶装置から読み出した場合、前記送信手段は、前記複数の作業内容データを前記端末装置に送信し、前記受信手段は、前記端末装置から、前記複数の作業内容データのなかから前記端末装置のユーザにより選択された作業内容データを識別する作業識別データを受信し、前記記憶指示手段は、前記画像データを、前記受信手段により受信された作業識別データに対応付けて前記記憶装置に記憶させる、という構成が採用されてもよい。【００１４】
また、上記のサーバ装置において、前記受信手段は、前記端末装置から作業に関係する物理量の計測結果を示す計測結果データを受信し、前記記憶指示手段は、前記計測結果データを前記作業識別データに対応付けて前記記憶装置に記憶させる、という構成が採用されてもよい。【００１５】
また、上記のサーバ装置において、前記作業内容データに応じた作業時間帯を示す作業時間帯データを取得する作業時間帯取得手段と、前記作業内容データに応じた作業位置を示す作業位置データを取得する作業位置取得手段と、前記作業時間帯データが示す時間帯の前記作業位置データが示す作業位置における前記作業内容データに応じた作業に影響を与える事象を示す事象データを取得する事象取得手段とを備え、前記記憶指示手段は、前記事象データを前記作業識別データに対応付けて前記記憶装置に記憶させる、という構成が採用されてもよい。【００１６】
また、上記のサーバ装置において、前記受信手段は、前記端末装置から各々が静止画を示す複数の画像データを受信し、前記記憶指示手段は、前記複数の画像データを前記作業識別データに対応付けて前記記憶装置に記憶させる、という構成が採用されてもよい。【００１７】
また、上記のサーバ装置において、前記読出手段は、前記作業内容データに応じた撮影タイミングに関する条件を示す撮影タイミング条件データを前記記憶装置から読み出し、前記送信手段は、前記撮影タイミング条件データを前記端末装置に送信する、という構成が採用されてもよい。【００１８】
また、上記のサーバ装置において、前記記憶指示手段は、前記作業識別データに応じたフォルダを前記記憶装置に作成させ、前記受信手段により受信された複数の画像データを当該フォルダに格納させる、という構成が採用されてもよい。【００１９】
また、上記のサーバ装置において、前記受信手段は、前記作業内容データに応じた作業時間帯を示す作業時間帯データを前記端末装置から受信し、前記記憶指示手段は、前記作業時間帯データを前記作業識別データに対応付けて前記記憶装置に記憶させ、前記読出手段は、或る作業対象に関する複数の作業内容の各々に関し、当該作業内容を識別する作業識別データに対応付けて記憶されている作業時間帯データを前記記憶装置から読み出し、前記読出手段により読み出された作業時間帯データに基づき、前記或る作業対象に関する複数の作業内容に応じた作業の各々が行われた時間長または時間帯を示す作業実績データを生成する作業実績生成手段を備える、という構成が採用されてもよい。【００２０】
また、上記のサーバ装置において、前記受信手段は、前記作業内容データに応じた作業時間帯を示す作業時間帯データを前記端末装置から受信し、前記記憶指示手段は、前記作業時間帯データを前記作業識別データに対応付けて前記記憶装置に記憶させ、前記読出手段は、複数の作業対象に関する同一または類似の作業内容の各々に関し、当該作業内容を識別する作業識別データに対応付けて記憶されている作業時間帯データを前記記憶装置から読み出し、前記読出手段により読み出された作業時間帯データに基づき、前記同一または類似の作業内容に応じた作業の所要時間の統計量を示す所要時間データを生成する所要時間生成手段を備える、という構成が採用されてもよい。【００２１】
また、本発明は、コンピュータに、サーバ装置に作業内容の検索条件を示す検索条件データを送信する処理と、前記検索条件データの送信に対する応答として前記サーバ装置から送信されてくる作業内容を示す作業内容データを受信する処理と、前記作業内容データが示す作業内容を表示装置に表示させる処理と、記録の開始指示を示す開始指示データと、記録の終了指示を示す終了指示データとを取得する処理と、撮影装置により生成された画像データを取得する処理と、前記開始指示データが示す開始指示に従うタイミングから、前記終了指示データが示す終了指示に従うタイミングまでの期間に前記撮影装置により生成された画像データを前記サーバ装置に送信する処理とを実行させるためのプログラムを提供する。【００２２】
また、本発明は、コンピュータに、端末装置から作業内容の検索条件を示す検索条件データを受信する処理と、前記検索条件データが示す検索条件を満たす作業内容を示す作業内容データを記憶装置から読み出す処理と、前記作業内容データを前記端末装置に送信する処理と、前記端末装置から画像データを受信する処理と、前記画像データを、前記作業内容データを識別する作業識別データに対応付けて前記記憶装置に記憶させる処理とを実行させるためのプログラムを提供する。
【発明の効果】
【００２３】
上記の端末装置によれば、作業中に撮影された作業の様子を示す画像データがサーバ装置に送信される。また、上記のサーバ装置によれば、端末装置から受信された作業の様子を示す画像データが作業内容と対応付けて記憶される。従って、上記の端末装置とサーバ装置を組み合わせたシステムによれば、ユーザ（作業者）が煩雑な入力操作を行わなくても、作業の様子を撮影した画像が作業内容に対応付けられた状態でサーバ装置に蓄積される。【００２４】
また、上記のプログラムによれば、コンピュータにより上記の端末装置またはサーバ装置が実現される。
【図面の簡単な説明】
【００２５】
【図１】一実施形態にかかる画像記録システムの全体構成を示した図。
【図２】一実施形態にかかる端末装置のハードウェアとして利用可能なコンピュータの基本構成を示した図。
【図３】一実施形態にかかる端末装置の機能構成を示した図。
【図４】一実施形態にかかるサーバ装置のハードウェアとして利用可能なコンピュータの基本構成を示した図。
【図５】一実施形態にかかるサーバ装置の機能構成を示した図。
【図６】一実施形態にかかるサーバ装置に記憶されている作業管理テーブルの構成を例示した図。
【図７】一実施形態にかかるサーバ装置に記憶されている作業者テーブルの構成を例示した図。
【図８】一実施形態にかかるサーバ装置に記憶されている記録管理テーブルの構成を例示した図。
【図９】一実施形態にかかるサーバ装置に記憶される画像データ等の格納形式を例示した図。
【図１０】一実施形態にかかる端末装置が表示するログイン画面を示した図。
【図１１】一実施形態にかかる端末装置が表示する作業内容選択画面を示した図。
【図１２】一実施形態にかかる端末装置が表示する記録中画面を示した図。
【図１３】一実施形態にかかる端末装置が表示するステイタス確認画面を示した図。
【図１４】一実施形態にかかる端末装置が表示する画像閲覧画面を示した図。
【図１５】一変形例にかかるサーバ装置に記憶される画像データ等の格納形式を例示した図。
【図１６】一変形例にかかる端末装置が表示する画像閲覧画面を示した図。
【図１７】一変形例にかかるサーバ装置に記憶されている作業管理テーブルの構成を例示した図。
【図１８】一変形例にかかるサーバ装置に記憶されている閲覧者テーブルの構成を例示した図。
【図１９】一変形例にかかる端末装置のハードウェアとして利用可能なコンピュータの基本構成を示した図。
【図２０】一変形例にかかる端末装置の機能構成を示した図。
【図２１】一変形例にかかるサーバ装置に記憶されている管理者テーブルの構成を例示した図。
【発明を実施するための形態】
【００２６】
［実施形態］
以下に本発明の一実施形態にかかる画像記録システム１を説明する。画像記録システム１は作業の様子を画像により記録するシステムである。ただし、画像記録システム１は作業環境の属性値（温度、湿度等）や作業に用いられた材料の量等の作業に関係する情報を画像とともに記録する機能も有している。
【００２７】
図１は画像記録システム１の全体構成を示した図である。画像記録システム１は、端末装置１１、センサユニット１２、サーバ装置１３、サーバ装置１４、端末装置１５を備える。
【００２８】
端末装置１１はカメラ（撮影装置）を内蔵した移動通信端末装置であり、作業者により作業場に設置されて作業の様子を撮影するために用いられる。端末装置１１はカメラにより撮影した画像を示す画像データやセンサユニット１２（後述）により計測した温度等の計測結果を示す計測結果データをサーバ装置１３に送信する。図１において端末装置１１は携帯電話網８を介してインターネット９に接続されているが、端末装置１１がインターネット９に直接接続可能であれば、サーバ装置１３との間のデータ通信において携帯電話網８を介する必要はない。
【００２９】
センサユニット１２は作業に関係する各種物理量を計測する計測装置である。センサユニット１２が計測する物理量の種別としては、温度、湿度、照度、材料の流量等が考えられるがこれらに限られない。これらの物理量の種別は記録対象の作業内容によって異なるため、端末装置１１のユーザは作業の開始前に作業内容に応じた種別のセンサユニット１２を端末装置１１に接続して用いる。なお、作業内容によってはセンサユニット１２が不要な場合もある。
【００３０】
サーバ装置１３は端末装置１１から送信されてくる画像データおよび計測結果データを記憶する。サーバ装置１３は画像データ等を記憶する際、それらのデータがいずれの作業に関するデータであるかを示す作業識別データに対応付けて記憶する。
【００３１】
サーバ装置１４は様々な位置および時間帯における天気、風速、風向等の気象を示す気象データを記憶し、要求された位置および時間帯の気象データを要求元の装置に配信するサーバ装置である。サーバ装置１３は或る作業が作業者により行われると、当該作業の作業位置の作業時間帯における気象を示す気象データをサーバ装置１４から取得し、当該作業の作業識別データに対応付けて記憶する。
【００３２】
端末装置１５はサーバ装置１３に記憶されている画像を閲覧するために作業の管理者や作業者等が使用する端末装置である。図１において端末装置１５は携帯電話網８を介さずインターネット９に接続されているが、端末装置１５が携帯電話網８に接続可能であれば、携帯電話網８経由でインターネット９に接続されてもよい。また、端末装置１１が作業場の撮影に用いられていない間は、端末装置１１が画像の閲覧に用いられてもよい。この場合、端末装置１１が一時的に端末装置１５として用いられることになる。
【００３３】
図１に示される端末装置１１の数は１つであるが、実際には端末装置１１の数は作業場の数によって変動する。なお、複数の端末装置１１が１つの作業場において画像の撮影等に用いられてもよい。また、図１に示される端末装置１５の数は１つであるが、実際には端末装置１５の数はサーバ装置１３に記憶されている画像を閲覧する人の数によって変動する。
【００３４】
端末装置１１のハードウェアは、画像記録システム１のために設計された専用装置であってもよいが、汎用的なコンピュータが用いられてもよい。端末装置１１のハードウェアとして利用可能なコンピュータの形態は限定されない。例えば、ノート型ＰＣ（Personal Computer）、タブレット型ＰＣ等のいずれであってもよい。また、端末装置１１が通話機能を備えたタブレット型ＰＣ（いわゆるスマートフォン）であってもよい。さらに、通信機能を備えた小型コンピュータを内蔵したデジタルカメラが端末装置１１のハードウェアとして用いられてもよい。
【００３５】
図２は端末装置１１のハードウェアとして利用可能なコンピュータの一例であるタブレット型ＰＣ１０の基本構成を示した図である。タブレット型ＰＣ１０は、各種データを記憶するメモリ１０１と、メモリ１０１に記憶されているプログラムに従ったデータ処理を行うプロセッサ１０２と、計時を行うクロック１０３と、データ通信を行うインタフェースである通信ＩＦ１０４と、表示装置（例えば液晶ディスプレイ）と操作装置（例えばタッチパネル）が一体として構成されたタッチディスプレイ１０５と、撮影を行うカメラ１０６を備える。
【００３６】
図３は端末装置１１の機能構成を示した図である。すなわち、タブレット型ＰＣ１０がプログラムに従ったデータ処理を行うことにより、図３に示す構成部を備える端末装置１１が実現される。以下に端末装置１１が備える機能構成部を説明する。
【００３７】
送信手段１１１はサーバ装置１３に各種データを送信する。送信手段１１１がサーバ装置１３に送信するデータとしては、例えば、記録対象の作業内容の検索条件を示す検索条件データ、検索条件に従いサーバ装置１３において検索された作業内容のうちユーザにより記録対象として選択された作業内容を識別する作業識別データ、カメラ１０６により撮影された画像を示す画像データ、センサユニット１２により計測された温度等の物理量の計測結果を示す計測結果データ、指示取得手段１１５により取得された開始指示データおよび終了指示データ（後述）に基づき特定される記録対象の作業の作業時間帯を示す作業時間帯データ等がある。
【００３８】
受信手段１１２はサーバ装置１３から各種データを受信する。受信手段１１２がサーバ装置１３から受信するデータとしては、例えば、送信手段１１１により送信された検索条件データに対する応答としてサーバ装置１３から送信されてくる作業内容を示す作業内容データ、当該作業内容データに応じた撮影タイミングに関する条件を示す撮影タイミング条件データ、当該作業内容データに応じた計測タイミングに関する条件を示す計測タイミング条件データ等がある。
【００３９】
表示指示手段１１３は受信手段１１２により受信された作業内容データが示す作業内容をタッチディスプレイ１０５の表示装置（液晶ディスプレイ等）に表示させる。作業識別取得手段１１４は受信手段１１２により複数の作業内容データが受信された場合、これらの複数の作業内容データのなかからユーザにより選択された作業内容データを識別する作業識別データを取得する。
【００４０】
指示取得手段１１５はユーザによる記録の開始指示を示す開始指示データや、ユーザによる記録の終了指示を示す終了指示データを取得する。画像取得手段１１６はカメラ１０６（撮影装置）により生成された画像データを取得する。なお、画像取得手段１１６は受信手段１１２によりサーバ装置１３から受信された撮影タイミング条件データが示す条件が満たされたタイミングでカメラ１０６に対し撮影指示を行い、当該撮影指示に従い生成された画像データをカメラ１０６から取得する。
【００４１】
計測結果取得手段１１７はセンサユニット１２（計測装置）により生成された計測結果データを取得する。なお、計測結果取得手段１１７は受信手段１１２によりサーバ装置１３から受信された計測タイミング条件データが示す条件が満たされたタイミングでセンサユニット１２に対し計測指示を行い、当該計測指示に従い生成された計測結果データをセンサユニット１２から取得する。
【００４２】
記憶手段１１８は各種データを記憶する。記憶手段１１８が記憶するデータとしては、例えば、作業識別取得手段１１４により取得された作業識別データ、画像取得手段１１６により取得された画像データ、計測結果取得手段１１７により取得された計測結果データ等がある。
【００４３】
サーバ装置１３のハードウェアは、画像記録システム１のために設計された専用装置であってもよいが、汎用的なコンピュータが用いられてもよい。サーバ装置１３のハードウェアとして利用可能なコンピュータの形態は限定されない。例えば、デスクトップ型ＰＣ、ノート型ＰＣ等のいずれであってもよい。
【００４４】
図４はサーバ装置１３のハードウェアとして利用可能なコンピュータの一例であるサーバ用デスクトップ型ＰＣ２０の基本構成を示した図である。サーバ用デスクトップ型ＰＣ２０は、各種データを記憶するメモリ２０１と、メモリ２０１に記憶されているプログラムに従ったデータ処理を行うプロセッサ２０２と、データ通信を行うインタフェースである通信ＩＦ２０３を備える。
【００４５】
図５はサーバ装置１３の機能構成を示した図である。すなわち、サーバ用デスクトップ型ＰＣ２０がプログラムに従ったデータ処理を行うことにより、図５に示す構成部を備えるサーバ装置１３が実現される。以下にサーバ装置１３が備える機能構成部を説明する。
【００４６】
受信手段１３１は端末装置１１および端末装置１５から各種データを受信する。受信手段１３１が端末装置１１から受信するデータとしては、例えば、作業内容の検索条件を示す検索条件データ、カメラ１０６により生成された画像データ、センサユニット１２により生成された計測結果データ、端末装置１１のユーザにより選択された作業内容データを識別する作業識別データ、記録対象の作業内容の作業時間帯を示す作業時間帯データ等である。また、受信手段１３１が端末装置１５から受信するデータとしては、例えば、画像等を閲覧するためのＷｅｂページ（画像閲覧画面）を要求するＷｅｂページ要求データ等がある。
【００４７】
読出手段１３２はメモリ２０１（記憶装置）から各種データを読み出す。以下にメモリ２０１に記憶されているデータを説明する。
【００４８】
図６はメモリ２０１に記憶されている作業管理テーブルの構成を例示した図である。作業管理テーブルは画像記録システム１において作業の様子を記録する作業対象の各々に応じて準備されており、図６は作業対象名「Ａ氏自宅新築」で識別される作業対象に関する作業管理テーブルの構成を例示したものである。作業管理テーブルは、例えば作業の管理者等が端末装置１５のＷｅｂブラウザ機能を用いてサーバ装置１３にアクセスして入力したデータである。
【００４９】
作業管理テーブルは、フィールドとして［作業対象種別］、［規模］、［作業位置］、［作業内容］、［撮影タイミング条件］、［計測タイミング条件］、［予定作業期間］、［ステイタス］、［作業者名］を備える。［作業対象種別］は、「木造２階建新築」等の作業対象の種別を示すデータを格納する。［規模］は、「床面積１１３平米」等の作業対象の規模を示すデータを格納する。［作業位置］は、「北緯３５度５６’４８’’、東経１３８度４９’４５’’」等の作業位置を示す作業位置データを格納する。
【００５０】
［作業内容］は、「搬入・地縄」、「根切」等の作業内容を示す作業内容データを格納する。１つの作業対象に対し複数の種別の作業が行われることが多い。［作業内容］にはそれら複数の種別の作業に応じた複数の作業内容データが格納される。［作業内容］に続く［撮影タイミング条件］以降のフィールドは、［作業内容］に格納される作業内容データの各々に応じたデータを格納する。
【００５１】
［撮影タイミング条件］は、対象の作業内容に応じた撮影タイミングに関する条件を示す撮影タイミング条件データを格納する。撮影タイミングに関する条件として典型的なものは、「６０秒間隔」等の所定時間の経過という条件である。この条件に従う場合、作業内容に応じた所定の時間間隔でカメラ１０６により撮影が行われることになる。また、撮影タイミングに関する条件として、例えば「温度変化＝１度」といったものも考えられる。この条件に従う場合、センサユニット１２により計測される温度が１度変化する毎にカメラ１０６により撮影が行われることになる。
【００５２】
［計測タイミング条件］は、対象の作業内容に応じた物理量の計測タイミングに関する条件を示す計測タイミング条件データを格納する。作業内容によって計測対象の物理量は異なり、また、１つの作業内容に応じて複数の物理量が計測対象となる場合もある。計測タイミングに関する条件として典型的なものは、「温度：５分間隔」といった条件である。この場合、センサユニット１２により温度が５分の経過毎に計測される。また、計測タイミングに関する条件として、例えば「湿度：撮影タイミングと同期］といったものも考えられる。この条件に従う場合、カメラ１０６により撮影が行われるタイミングでセンサユニット１２による湿度の計測が行われる。
【００５３】
なお、上述した撮影タイミングおよび計測タイミングに関する条件はあくまで例示であって、他に様々な種類の条件が採用可能である。
【００５４】
［予定作業期間］は、「２０１５年３月１日〜２０１５年３月３日」等の予定作業期間を示すデータを格納する。［ステイタス］は、「未着手」、「作業中」、「作業完了」等の作業のステイタスを示すデータを格納する。［作業者名］は、「作業者Ｐ」等の作業を担当する作業者名を示すデータを格納する。１つの作業を複数名の作業者が共同で行う場合、［作業者名］には複数のデータが格納される。
【００５５】
図７はメモリ２０１に記憶されている作業者テーブルの構成を例示した図である。作業者テーブルは作業者の本人認証を行うためのパスワードを管理するためのテーブルである。作業者テーブルはフィールドとして作業者名を示すデータを格納する［作業者名］と、作業者に割り当てられたパスワードを格納する［パスワード］を備える。
【００５６】
図８はメモリ２０１に記憶されている記録管理テーブルの構成を例示した図である。記録管理テーブルは画像データや計測結果データを記録対象の作業内容と対応付けるために用いられるデータを格納するためのテーブルである。記録管理テーブルは、フィールドとして［デバイスＩＤ］、［作業対象名］、［作業内容］、［作業者名］、［記録開始時刻］、［記録終了時刻］を備える。
【００５７】
［デバイスＩＤ］は、画像データや計測結果データを生成したカメラ１０６やセンサユニット１２を識別するデバイスＩＤを格納する。［作業対象名］〜［記録終了時刻］は、それらのフィールドの名称が示すデータを格納する。これらのフィールドに格納されるデータはサーバ装置１３が端末装置１１から受信したデータである。
【００５８】
図５に戻りサーバ装置１３の機能構成部の説明を続ける。送信手段１３３は端末装置１１および端末装置１５に各種データを送信する。送信手段１３３が端末装置１１に送信するデータとしては、例えば、受信手段１３１が端末装置１１から受信した検索条件データに従い読出手段１３２が作業管理テーブルから読み出した作業内容データ、受信手段１３１が端末装置１１から受信した作業識別データ（端末装置１１のユーザにより選択された作業内容を識別するデータ）に基づき読出手段１３２が作業管理テーブルから読み出した撮影タイミング条件データおよび計測タイミング条件データ等がある。また、送信手段１３３が端末装置１５に送信するデータとしては、例えば、受信手段１３１が端末装置１５から受信したＷｅｂページ要求データに応じたＷｅｂページデータ等がある。
【００５９】
記憶指示手段１３４は各種データをメモリ２０１（記憶装置）に記憶させる。記憶指示手段１３４は、受信手段１３１が端末装置１１から受信した画像データ、計測結果データおよび作業時間帯データを、端末装置１１から受信した作業識別データ（記録対象の作業内容を識別するデータ）に対応付けてメモリ２０１に記憶させる。また、記憶指示手段１３４は、事象取得手段１３７（後述）がサーバ装置１４から取得した気象データを、端末装置１１から受信した作業識別データ（記録対象の作業内容を識別するデータ）に対応付けてメモリ２０１に記憶させる。
【００６０】
図９は記憶指示手段１３４の指示に従いメモリ２０１に記憶される画像データ、計測結果データおよび気象データの格納形式を例示した図である。記憶指示手段１３４はメモリ２０１に「作業対象名」−「作業内容」−「デバイスＩＤ／気象」という階層構造のフォルダを作成させる。「作業対象名」の階層には、「Ａ氏自宅新築」等の作業対象名に応じたフォルダが作成される。「作業内容」の階層には、「搬入・地縄」等の作業内容に応じたフォルダが作成される。「デバイスＩＤ／気象」の階層には、「Ｃ１２３４」等のデバイスＩＤに応じたフォルダ、もしくは「Ｗ」で示される気象データを格納するフォルダが作成される。
【００６１】
サーバ装置１３が端末装置１１から受信した画像データおよび計測結果データと、サーバ装置１３がサーバ装置１４から取得した気象データは、記録管理テーブルに格納されているデータに基づき、「デバイスＩＤ／気象」の階層に作成されたいずれかのフォルダに仕分けられて格納される。なお、図９の例では、画像データおよび計測結果データのファイル名はそれらのデータが生成された時刻（撮影時刻または計測時刻）を示し、気象データのファイル名はその気象データが示す気象であった時間帯を示す。
【００６２】
なお、上述したフォルダ構成やファイル名の命名規則は一例であって、他のフォルダ構成やファイル名の命名規則が採用されてもよい。
【００６３】
再び図５に戻りサーバ装置１３の機能構成部の説明を続ける。作業時間帯取得手段１３５は端末装置１１から受信した作業識別データ（記録対象の作業内容を識別するデータ）に応じた作業時間帯データを取得する。具体的には、作業時間帯取得手段１３５は読出手段１３２を介して、記録管理テーブルの記録対象の作業内容に応じたレコードの［記録開始時刻］および［記録終了時刻］に格納されているデータの組み合わせを、作業時間帯データとして読み出す。
【００６４】
作業位置取得手段１３６は端末装置１１から受信した作業識別データ（記録対象の作業内容を識別するデータ）に応じた作業位置データを取得する。具体的には、作業位置取得手段１３６は読出手段１３２を介して、記録対象の作業対象名に応じた作業管理テーブルの［作業位置］に格納されている作業位置データを読み出す。
【００６５】
事象取得手段１３７は端末装置１１から受信した作業時間帯データと、作業位置取得手段１３６が取得した作業位置データに応じた気象データをサーバ装置１４から取得する。具体的には、事象取得手段１３７は作業時間帯取得手段１３５が取得した作業時間帯データと、作業位置取得手段１３６が取得した作業位置データを含む気象データの要求データをサーバ装置１４に送信し、当該要求データの応答としてサーバ装置１４から送信されてくる気象データを受信する。
【００６６】
作業実績生成手段１３８と所要時間生成手段１３９はサーバ装置１３が端末装置１５から画像を閲覧するためのＷｅｂページの要求を受けたときに、当該Ｗｅｂページに表示するためのデータを生成する手段である。
【００６７】
作業実績生成手段１３８は、端末装置１５のユーザが閲覧する画像の作業対象に関する複数の作業内容に応じた作業の各々が行われた時間帯および時間長を示す作業実績データを生成する。具体的には、作業実績生成手段１３８は記録管理テーブルから指定された作業対象名のレコードを抽出し、作業内容毎に記録開始時刻および記録終了時刻により示される時間帯と当該時間帯の時間長を示すデータを、作業実績データとして生成する。
【００６８】
所要時間生成手段１３９は、端末装置１５のユーザが閲覧する画像の作業対象に関する複数の作業内容の各々について、他の作業対象に関する同一または類似の作業内容の所要時間の統計量（例えば、平均値）を示す所要時間データを生成する。
【００６９】
具体的には、所要時間生成手段１３９は、例えば端末装置１５のユーザが「Ａ氏自宅新築」の画像を閲覧する際、「Ａ氏自宅新築」に応じた作業管理テーブルの［作業対象種別］および［規模］に格納されているデータと類似のデータを格納している他の作業対象の作業管理テーブルを抽出する。続いて、所要時間生成手段１３９は抽出した複数の作業管理テーブルの各々に関し、作業対象名に応じたレコードを記録管理テーブルから抽出し、作業内容毎に記録開始時刻から記録終了時刻までの時間長を算出する。これにより、「Ａ氏自宅新築」の作業内容である「搬入・地縄」、「根切」等の各々に関し、「Ａ氏自宅新築」と作業対象種別および規模が同一または類似の他の作業対象に関する所要時間が算出される。所要時間生成手段１３９は、このように算出した所長時間の統計量（例えば、平均値）を作業内容毎に算出する。
【００７０】
以上がサーバ装置１３の機能構成部の説明である。センサユニット１２は物理量を計測し計測結果を示す計測結果データを端末装置１１に出力する既知の計測装置である。従ってセンサユニット１２の詳細な説明を省略する。サーバ装置１４はサーバ装置１３からの要求に応じて気象データを送信する既知のサーバ装置である。従ってサーバ装置１４の詳細な説明を省略する。端末装置１５はサーバ装置１３に対しＷｅｂページを要求し、サーバ装置１３から送信されてくるデータに従いＷｅｂページを表示する既知の端末装置である。従って端末装置１５の詳細な説明を省略する。
【００７１】
続いて、画像記録システム１の動作を説明する。まず、作業者は作業場に行き、端末装置１１にセンサユニット１２を接続する。続いて作業者は、端末装置１１を操作して図１０に示すログイン画面を表示させる。作業者はログイン画面において自分の作業者名を選択し、自分に割り当てられているパスワードを入力した後、「ＯＫ」ボタンをタッチする。このタッチ操作に応じて、端末装置１１はサーバ装置１３に作業者名とパスワードを送信する。
【００７２】
サーバ装置１３は作業者テーブルを参照して端末装置１１から送信されてくる作業者名とパスワードの照合を行い、照合に成功すると作業管理テーブルから作業者名に応じたレコードを検索する。この場合、端末装置１１からサーバ装置１３に送信される作業者名を示すデータが、サーバ装置１３において作業内容の検索条件を示す検索条件データとして用いられる。
【００７３】
サーバ装置１３は検索したレコードを用いて作業内容選択画面を示すＷｅｂページデータを生成し、端末装置１１に送信する。サーバ装置１３から端末装置１１に送信されるＷｅｂページデータには、作業者に応じた作業内容を示す作業内容データが含まれる。端末装置１１はサーバ装置１３から受信したＷｅｂページデータに従い、図１１に示す作業内容選択画面を表示する。
【００７４】
作業内容選択画面の「作業対象」欄には、作業者が担当する作業内容の作業対象名がプルダウンメニューとして表示される。作業者が「作業対象」欄において記録を行う作業対象の作業対象名を選択すると、「作業内容」欄に作業対象に関する作業内容がプルダウンメニューとして表示される。作成者が「作業内容」欄において記録を行う作業内容を選択すると、「センサ種別」欄に作業内容に応じたセンサユニット１２の種別とそれらのセンサユニット１２の接続の有無が表示される。なお、作業内容選択画面には表示されないが、作業内容選択画面のＷｅｂページデータには作業内容に応じた撮影タイミング条件データおよび計測タイミング条件データが含まれている。
【００７５】
作業者は、作業内容選択画面において正しい作業対象および作業内容を選択し、適切な種別のセンサユニット１２が正しく接続されていることを確認した後、「記録開始」ボタンをタッチする。このタッチ操作に応じて、端末装置１１は記録の開始指示を示す開始指示データを取得する。
【００７６】
端末装置１１は開始指示データの取得に伴い、撮影に用いるカメラ１０６のデバイスＩＤ、物理量の計測に用いるセンサユニット１２のデバイスＩＤ、作業者によって選択された作業対象名および作業内容、作業者の作業者名、および「記録開始」ボタンがタッチされた時の時刻を示す記録開始時刻を示す記録管理データを生成し、サーバ装置１３に送信する。記録管理データには、作業者により選択された作業内容を識別する作業識別データ（作業対象名および作業内容を示すデータ）が含まれている。サーバ装置１３は端末装置１１から記録管理データを受信すると、記録管理テーブルに新たなレコードを追加して受信した記録管理データを格納する。また、サーバ装置１３は受信した記録管理データに応じたフォルダを作成する。さらに、サーバ装置１３は受信した記録管理データに応じたレコードを作業管理テーブルから検索し、検索したレコードの［ステイタス］を「作業中」に更新する。
【００７７】
その後、端末装置１１は作業内容選択画面のＷｅｂページデータに含まれる撮影タイミング条件データ（作業者により選択された作業内容に応じたもの）に従うタイミングで、カメラ１０６に対し撮影の指示を行い、当該指示に応じてカメラ１０６により生成された画像データを取得する。端末装置１１は取得した画像データにその時点の時刻を示すファイル名を付して、カメラ１０６のデバイスＩＤとともにサーバ装置１３に送信する。サーバ装置１３は端末装置１１から画像データを受信すると、当該画像データとともに受信したデバイスＩＤに応じたレコードを記録管理テーブルから検索し、検索したレコードのデータに応じたフォルダに受信した画像データを格納する。
【００７８】
また、端末装置１１は作業内容選択画面のＷｅｂページデータに含まれる計測タイミング条件データ（作業者により選択された作業内容に応じたもの）に従うタイミングで、センサユニット１２に対し計測の指示を行い、当該指示に応じてセンサユニット１２により生成された計測結果データを取得する。端末装置１１は取得した計測結果データにその時点の時刻を示すファイル名を付して、センサユニット１２のデバイスＩＤとともにサーバ装置１３に送信する。サーバ装置１３は端末装置１１から計測結果データを受信すると、当該計測結果データとともに受信したデバイスＩＤに応じたレコードを記録管理テーブルから検索し、検索したレコードのデータに応じたフォルダに受信した計測結果データを格納する。
【００７９】
サーバ装置１３は、端末装置１１から受信した記録管理データを記録管理テーブルに追加した後、例えば所定の時間間隔で、サーバ装置１４から当該記録管理データに応じた気象データを取得し、当該記録管理データに応じたフォルダに格納する。
【００８０】
上記のように、作業者により作業内容選択画面において「記録開始」ボタンがタッチされた後、作業の様子を示す画像データと、作業場の環境属性等を示す計測結果データと、作業場の気象を示す気象データが、記録対象の作業内容を識別する作業識別データに対応付けられて、サーバ装置１３に順次記憶される。その間、端末装置１１には図１２に示す記録中画面が表示される。記録中画面には、記録対象の作業対象名および作業内容とともに、記録が行われている旨のメッセージが表示される。
【００８１】
その後、作業を終了した時点で、作業者は記録中画面の「記録終了」ボタンをタッチする。このタッチ操作に応じて、端末装置１１は記録の終了指示を示す終了指示データを取得する。端末装置１１は終了指示データの取得に伴い、カメラ１０６に対する撮影の指示とセンサユニット１２に対する計測の指示を停止する。続いて、端末装置１１は、カメラ１０６のデバイスＩＤ、センサユニット１２のデバイスＩＤ、記録対象の作業対象名および作業内容、作業者名、および「記録終了」ボタンがタッチされた時の時刻を示す記録終了時刻を示す記録管理データを生成し、サーバ装置１３に送信する。
【００８２】
サーバ装置１３は端末装置１１から記録管理データを受信すると、記録管理テーブルから対応するレコードを検索し、検索したレコードの［記録終了時刻］に受信した記録管理データが示す記録終了時刻を示すデータを格納する。その後、サーバ装置１３はこのレコードに応じた気象データの取得を停止する。
【００８３】
端末装置１１は記録管理データをサーバ装置１３に送信した後、図１３に示すステイタス確認画面を表示する。ステイタス確認画面には、それまでの記録対象の作業対象名および作業内容とともに、「作業完了」ボタンと「作業未完了」ボタンが表示される。作業者は、記録対象であった作業が未完了であれば「作業未完了」ボタンをタッチする。また、作業者は、記録対象であった作業が完了した場合、「作業完了」ボタンをタッチする。「作業完了」ボタンがタッチされた場合、端末装置１１からサーバ装置１３に、作業対象名および作業内容とともに、作業完了を示す完了通知データが送信される。サーバ装置１３は端末装置１１から完了通知データを受信すると、完了通知データに応じたレコードを作業管理テーブルから検索し、検索したレコードの［ステイタス］を「作業完了」に更新する。
【００８４】
上述した画像記録システム１の動作が様々な作業対象および作業内容に関し行われることにより、サーバ装置１３にはそれらの作業内容の各々の様子を示す画像データが、それらの作業における環境属性等を示す計測結果データおよび気象データとともに蓄積されてゆく。
【００８５】
サーバ装置１３に蓄積された画像データは、例えば作業の管理者等が過去に行われた作業の様子を閲覧したい場合に利用される。例えば端末装置１５のユーザが端末装置１５を操作してサーバ装置１３が提供する管理者用のＷｅｂサイトにログインすると、端末装置１５からサーバ装置１３に画像閲覧画面のＷｅｂページ要求データが送信される。サーバ装置１３はＷｅｂページ要求データに応じてＷｅｂページデータを生成し、端末装置１５に送信する。端末装置１５はサーバ装置１３から受信したＷｅｂページデータに従い、図１４に示す画像閲覧画面を表示する。
【００８６】
画像閲覧画面において、ユーザは「作業期間」欄や「作業対象名」欄に検索対象の作業期間の始期または終期、キーワード等の検索条件を入力した後、「検索」ボタンを操作する。この操作に応じて、画像閲覧画面の「候補作業対象名」欄には、検索条件に従い抽出された作業対象名がリスト表示される。ユーザが当該リストからいずれかの作業対象名を選択すると、「作業内容」欄には選択された作業対象名に応じた作業内容がリスト表示されるとともに、それらの作業内容に応じた作業が行われた期間と時間長が「作業内容」欄の右側のタイムライン表示欄に表示される。ライムライン表示欄において、右方向が時間軸正方向である。ユーザはタイムライン表示欄により、作業の進捗を直観的に知ることができる。なお、タイムライン表示欄は、作業実績生成手段１３８により生成される作業実績データに基づき表示される。
【００８７】
ユーザがライムライン表示欄に表示される、作業内容に応じたいずれかのバーを選択すると、画面右上の画像表示欄に選択されたバーに応じた作業内容に関し、選択されたバーに応じた期間内に撮影された画像が表示される。ユーザが画像表示欄の下に表示される「再生」ボタンを操作すると、画像表示欄に表示される画像が撮影時刻順に順次、所定時間間隔で切り替わる。また、ユーザが画像表示欄の下に表示されるスクロールバーを左右に移動させると、画像表示欄に表示される画像がスクロールの速度および方向に応じて順次、切り替わる。従って、ユーザは作業の様子を画像により容易かつ迅速に確認することができる。
【００８８】
画像閲覧画面の「作業内容」欄に表示される作業内容には、「！」等の注意喚起マークが付されている場合がある。ユーザがこの注意喚起マークをクリック等すると、例えば「作業の所要時間が平均値の１２０％を超えています。」といったメッセージがポップアップ表示される。このメッセージは、対象の作業に要した時間が、同種の作業対象の同種の作業の平均的な所要時間から大きく乖離していることをユーザに通知するメッセージである。ユーザはこのメッセージにより問題があった可能性のある作業を容易に知ることができる。さらユーザは、問題があった可能性のある作業に関し、問題の有無や問題の原因を画像表示欄に表示される画像や、画像表示欄の上に表示される気温、湿度、天気等の情報により確認することができる。
【００８９】
以上述べたように、画像記録システム１によれば、作業者は容易な操作により作業の様子を画像等により記録することができる。その際、スマートフォン等の携帯性の高い端末装置を用いて画像の撮影および送信ができるため、例えば建築現場のように常設ではない作業場で行われる作業にも低コストで対応可能である。
【００９０】
［変形例］
上述した実施形態は一具体例であって、本発明の技術的思想の範囲内で様々に変形可能である。以下にそれらの変形の例を示す。なお、上述した実施形態と以下に例示する変形例はそれらの２以上が組み合わされてもよい。
【００９１】
（１）上述した実施形態においては、端末装置１１を操作する作業者が担当する作業内容が複数あり、作業者により記録対象の作業内容が選択されるものとした。端末装置１１を操作する作業者が担当する作業内容は１つのみであれば、作業者による作業内容の選択は不要である。
【００９２】
（２）上述した実施形態においては、記録対象の作業内容の検索条件として、端末装置１１を操作する作業者の作業者名が使用された。記録対象の作業内容の検索条件はこれに限られない。例えば、作業管理テーブルにおいて作業内容に対し作業を担当する作業者の端末装置１１の端末ＩＤ（例えば、端末装置１１がスマートフォンであれば、電話番号等）が対応付けて記憶されていれば、作業者名に代えて端末ＩＤが作業内容の検索キーとして用いられてもよい。また、端末装置１１がＧＰＳ（Global Positioning System）等の位置測定装置を備えている場合、位置測定装置により測定した位置データが検索キーとして用いられてもよい。この場合、サーバ装置１３は端末装置１１から受信した位置データに応じた作業位置を示すデータが［作業位置］に格納されているレコードを作業管理テーブルから検索し、検索したレコードの［作業内容］に格納されている作業内容データを用いて作業内容選択画面の生成に用いる。
【００９３】
（３）上述した実施形態においては、画像データに加え、計測結果データおよび気象データが記憶される。画像データに加えて記憶されるデータの種別はこれらに限られない。例えば、マイク（拾音装置）により生成される音データが記憶されてもよい。
【００９４】
（４）上述した実施形態においては、画像データは静止画を示す。これに代えて、画像データが動画を示してもよい。
【００９５】
（５）上述した実施形態においては、或る作業内容の記録に用いられる端末装置１１は１つである。これに代えて、或る作業内容の記録に２以上の端末装置１１が用いられてもよい。すなわち、２以上の端末装置１１のカメラ１０６の各々により、例えば同じ作業場を異なる撮影方向で同時に撮影して得られる画像データがサーバ装置１３に蓄積されてもよい。この場合、画像閲覧画面において、同じ作業に関する２以上の画像が上下や左右に並べて同時表示されてもよい。その場合、それらの同時表示される２以上の画像が、撮影時刻により連動して切り替わってもよい。
【００９６】
図１５は、２つのカメラ１０６の各々により同じ作業場を同時に撮影して得られる画像データが、サーバ装置１３において記憶されている状態を例示した図である。図１５において、フォルダ「Ｃ１２３４」にはデバイスＩＤ「Ｃ１２３４」で識別されるカメラ１０６により撮影された画像を表す画像データが格納されている。また、フォルダ「Ｃ１２３５」にはデバイスＩＤ「Ｃ１２３５」で識別されるカメラ１０６により撮影された画像を表す画像データが格納されている。これらの画像データは、いずれも「Ａ氏自宅新築」という作業対象の「搬入・地縄」という作業内容の作業の様子を、同時に撮像した画像を表す画像データである。
【００９７】
図１６は、この変形例において、端末装置１５が表示する画像閲覧画面を示した図である。図１６に示される画像閲覧画面には、１つめのカメラ１０６により撮影された画像を表示する画像表示欄と、２つめのカメラ１０６により撮影された画像を表示する画像表示欄が含まれている。それらの画像表示欄には、同じ作業の様子を同時に異なる２つのカメラ１０６により撮影した画像が各々表示される。ユーザがそれらの画像表示欄の下に表示されるスクロールバーを左右に移動させると、２つの画像表示欄に表示される画像が連動して、スクロールの速度および方向に応じて順次、切り替わる。従って、ユーザは作業の様子を詳しく知ることができる。
【００９８】
なお、上記の説明においては、同時に同じ作業の様子を撮影するカメラ１０６の数は２つであるものとした。同時に同じ作業の様子を撮影するカメラ１０６の数は３以上であってもよい。
【００９９】
（６）上述した実施形態においては、カメラ１０６は端末装置１１に内蔵される。これに代えて、カメラ１０６が端末装置１１とは独立した装置として構成され、端末装置１１に有線または無線により接続されてもよい。その場合、端末装置１１に接続されるカメラ１０６の数は２以上であってもよい。
【０１００】
（７）上述した実施形態においては、作業者の端末装置１１に対する操作によって、記録の開始および終了が指示される。これに代えて、予め定められたイベントの発生等をトリガに、作業者の操作を要することなく端末装置１１に対する記録の開始および終了の少なくとも一方が指示されてもよい。例えば、作業管理テーブルの［予定作業期間］に作業内容の各々に応じた作業の開始タイミングおよび終了タイミングを示すデータを記憶させておき、端末装置１１がサーバ装置１３から当該データを受信し、当該データが示す開始タイミングに記録を開始し、当該データが示す終了タイミングに記録を終了する構成が採用されてもよい。この場合、端末装置１１の指示取得手段１１５はサーバ装置１３から受信したデータが示すタイミングの到来時に開始指示データおよび終了指示データを取得することになる。また、記録の開始タイミングおよび終了タイミングは作業者やサーバ装置１３等から直接指定される必要はない。例えば、作業者が端末装置１１に対し記録の開始操作を行ったタイミングから所定時間の経過後に自動的に記録の終了が行われる構成が採用されてもよい。この場合、端末装置１１の指示取得手段１１５は作業者により記録の開始操作が行われたタイミングで開始指示データを取得し、その後、所定時間の経過後に終了指示データを取得することになる。
【０１０１】
（８）上述した実施形態においては、端末装置１１は画像データ、計測結果データ等を、取得後速やかにサーバ装置１３に送信する。これに代えて、端末装置１１がサーバ装置１３に送信すべきデータを記憶しておき、例えば所定時間の経過毎、作業の終了時、端末装置１１が通信速度の速いネットワークに接続した時、等に記憶しておいたデータをサーバ装置１３に送信してもよい。
【０１０２】
（９）作業者が作業開始時に作業内容選択画面における「記録開始」ボタンの操作を失念した等により記録が行われない、という不都合を防止するために、端末装置１１が記録動作中に、例えば断続的に、ビープ音等の音を発するようにしてもよい。また、端末装置１１がバッテリで動作する場合、バッテリ切れにより記録動作が中断されないように、バッテリの残量が低下した時に、端末装置１１がビープ音等を発してその旨を作業者に通知してもよい。
【０１０３】
（１０）上述した実施形態においては、サーバ装置１３がサーバ装置１４から取得し、作業内容に対応付けて記憶するデータは気象データである。気象は、作業内容に影響を与える事象の一例であって、他の種別の事象を示す事象データがサーバ装置１３により取得され記憶されてもよい。例えば、交通渋滞は原材料等の搬送時間に影響を与え、結果として作業進捗に影響を与える事象である。従って、サーバ装置１３が交通渋滞情報を配信するサーバ装置１４から交通渋滞情報を示す事象データを受信し、当該事象データが示す事象が影響を与える作業内容に対応付けて、当該事象データを記憶する構成が採用されてもよい。また、事象データの他の例として、例えば大気汚染、花粉等の浮遊量、地震等を示すデータ等が挙げられるが、これらに限られない。
【０１０４】
（１１）上述した実施形態において、端末装置１１およびサーバ装置１３はコンピュータがプログラムに従った処理を実行することにより実現されるものとした。これに代えて、端末装置１１およびサーバ装置１３の一方または両方が、例えばＡＳＩＣ（Application Specific Integrated Circuit）等を備える専用装置として構成されてもよい。
【０１０５】
（１２）上述した実施形態において、タブレット型ＰＣ１０に例示されるコンピュータに端末装置１１の処理を実行させるためのプログラム、およびサーバ用デスクトップ型ＰＣ２０に例示されるコンピュータにサーバ装置１３の処理を実行させるためのプログラムは、持続的にデータを記録する記録媒体に記録されて配布されてもよいし、インターネット等のデータ通信ネットワークを介してコンピュータへダウンロードされる形態で配布されてもよい。
【０１０６】
（１３）上述した実施形態において例示した各種データの構成は様々に変更されてよい。例えば、サーバ装置１３に記憶されている作業管理テーブルの構成が図１７に示す構成であってもよい。図１７に例示の作業管理テーブルは、図６に例示の作業管理テーブルと比較し、フィールド［タグ］と［閲覧者名］を備え、フィールド［作業内容］を備えない。
【０１０７】
フィールド［タグ］は作業内容の属性を示すキーワードを格納するフィールドである。ユーザ（例えば、作業の管理者）はフィールド［タグ］に格納されるキーワードを自由に指定することができる。従って、ユーザは、例えば作業が行われる地名、作業者名、天気、時間帯、作業内容の名称などのキーワードをタグとして登録しておき、画像閲覧画面における作業対象の検索において、それらのキーワードにより、閲覧したい作業内容の画像等を検索することができる。
【０１０８】
（１４）画像閲覧画面の閲覧を許可するユーザを、作業対象毎、または、作業内容毎に変更可能としてもよい。図１７に示した作業管理テーブルが備えるフィールド［閲覧者名］には、作業内容毎にそれらの情報の閲覧が許可されているユーザの名称が格納される。また、サーバ装置１３は、図１８に示す閲覧者テーブルを記憶している。閲覧者テーブルは閲覧者の本人認証を行うためのパスワードを管理するためのテーブルである。閲覧者テーブルはフィールドとして閲覧者名を示すデータを格納する［閲覧者名］と、閲覧者に割り当てられたパスワードを格納する［パスワード］を備える。
【０１０９】
この変形例において、閲覧者が端末装置のＷｅｂブラウザ機能を用いてサーバ装置１３にアクセスし、画像閲覧画面の表示を行う際、サーバ装置１３はアクセスしてきた端末装置のユーザに対し、閲覧者名とパスワードの入力を求め、そのユーザが閲覧者テーブルに登録されている閲覧者であることを確認する。その後、閲覧者が画像閲覧画面において情報を閲覧する際、サーバ装置１３は、図１７に示した作業管理テーブルのフィールド［閲覧者名］に当該閲覧者の閲覧者名が格納されている作業内容に関する情報は端末装置に送信するが、その他の情報は端末装置に送信しない。従って、閲覧者は自分が閲覧することが許可された作業内容に関する情報のみを画像閲覧画面で閲覧することができる。
【０１１０】
（１５）上述した実施形態においては、例えば作業の管理者が端末装置１５を用いて画像等の情報を閲覧する時に、端末装置１５がサーバ装置１３から閲覧対象の画像等のデータを受信する。そのため、例えば画像データのサイズが大きいとデータの送受信に時間を要し、管理者はスムーズに作業の画像を閲覧することができない場合がある。この問題を解消するために、ユーザが端末装置１５を使用していない時間帯に、端末装置１５がサーバ装置１３から画像データ等をダウンロードする構成が採用されてもよい。
【０１１１】
図１９は、端末装置１５のハードウェアとして利用可能なコンピュータの基本構成を示した図である。端末装置１５のハードウェアの構成は、図２に示した端末装置１１のハードウェアの構成と比較して、カメラを備えない点を除き同じである。図２０は、この変形例にかかる端末装置１５の機能構成を示した図である。
【０１１２】
この変形例において、端末装置１５は、現在時刻を継続的に計時する計時手段１５１、サーバ装置１３に対するデータ要求を送信手段１５３に指示するデータ要求指示手段１５２、データ要求指示手段１５２の指示に従いサーバ装置１３にデータ要求を送信する送信手段１５３を備える。
【０１１３】
また、端末装置１５は、送信手段１５３から送信されたデータ要求に応じてサーバ装置１３から送信されてくるデータを受信する受信手段１５４、受信手段１５４が受信したデータを記憶する記憶手段１５５、管理者が行う画像閲覧画面の表示の指示を取得する指示取得手段１５６、指示取得手段１５６が取得した指示に従い画像閲覧画面の表示をタッチディスプレイ３０５に指示する表示指示手段１５７を備える。
【０１１４】
サーバ１３には、図２１に示す管理者テーブルが記憶されている。管理者テーブルは管理者の本人認証を行うためのパスワードとダウンロード対象の作業対象名を管理するためのテーブルである。管理者テーブルはフィールドとして管理者名を示すデータを格納する［管理者名］と、管理者に割り当てられたパスワードを格納する［パスワード］と、管理者が端末装置１５にデータの自動ダウンロードを希望する対象の作業を示す作業対象名を格納する［作業対象名］を備える。
【０１１５】
データ要求指示手段１５２は、例えば、計時手段１５１により計時される現在時刻が予め設定された時刻になると、送信手段１５３にデータ要求の送信を指示する。当該データ要求には、管理者名およびパスワードが含まれる。サーバ装置１３は、端末装置１５から送信されてくるデータ要求に含まれる管理者名およびパスワードを管理者テーブルのデータに基づき確認する。その後、管理者名に対応して管理者テーブルに登録されている作業対象名に応じた未送信のデータを端末装置１５に送信する。サーバ装置１３から送信されたデータは、端末装置１５の記憶手段１５５に記憶される。
【０１１６】
管理者は、希望するタイミングで、端末装置１５に対し画像閲覧画面の表示を指示する。この指示に応じて、表示指示手段１５７は記憶手段１５５から読み出したデータを用いて、画像閲覧画面の表示をタッチディスプレイ３０５に指示する。
【０１１７】
この変形例においては、画像閲覧画面の表示が指示されたとき、端末装置１５はサーバ装置１３からデータをダウンロードすることなく、記憶手段１５５からデータを読み出して用いる。従って、画像閲覧画面における情報の表示がスムーズに行われる。
【０１１８】
なお、端末装置１５がサーバ装置１３からデータをダウンロードするタイミングやトリガは様々に変更されてよい。例えば、端末装置１５がユーザによって最後に操作された後、予め定められた時間が経過した時点で、データ要求指示手段１５２がデータ要求の送信を送信手段１５３に指示してもよい。
【符号の説明】
【０１１９】
１…画像記録システム、７…作業場、８…携帯電話網、９…インターネット、１０…タブレット型ＰＣ、１１…端末装置、１２…センサユニット、１３…サーバ装置、１４…サーバ装置、１５…端末装置、２０…サーバ用デスクトップ型ＰＣ、１０１…メモリ、１０２…プロセッサ、１０３…クロック、１０４…通信ＩＦ、１０５…タッチディスプレイ、１０６…カメラ、１１１…送信手段、１１２…受信手段、１１３…表示指示手段、１１４…作業識別取得手段、１１５…指示取得手段、１１６…画像取得手段、１１７…計測結果取得手段、１１８…記憶手段、１３１…受信手段、１３２…読出手段、１３３…送信手段、１３４…記憶指示手段、１３５…作業時間帯取得手段、１３６…作業位置取得手段、１３７…事象取得手段、１３８…作業実績生成手段、１３９…所要時間生成手段、２０１…メモリ、２０２…プロセッサ、２０３…通信ＩＦ
【図１】
2016143749.tif 000003
【図２】
2016143749.tif 000004
【図３】
2016143749.tif 000005
【図４】
2016143749.tif 000006
【図５】
2016143749.tif 000007
【図６】
2016143749.tif 000008
【図７】
2016143749.tif 000009
【図８】
2016143749.tif 000010
【図９】
2016143749.tif 000011
【図１０】
2016143749.tif 000012
【図１１】
2016143749.tif 000013
【図１２】
2016143749.tif 000014
【図１３】
2016143749.tif 000015
【図１４】
2016143749.tif 000016
【図１５】
2016143749.tif 000017
【図１６】
2016143749.tif 000018
【図１７】
2016143749.tif 000019
【図１８】
2016143749.tif 000020
【図１９】
2016143749.tif 000021
【図２０】
2016143749.tif 000022
【図２１】
2016143749.tif 000023
【手続補正書】
【提出日】平成29年2月1日(2017.2.1)
【手続補正１】
【補正対象書類名】特許請求の範囲
【補正対象項目名】全文
【補正方法】変更
【補正の内容】
【特許請求の範囲】
【請求項１】
サーバ装置に作業内容の検索条件を示す検索条件データを送信する送信手段と、
前記検索条件データの送信に対する応答として前記サーバ装置から送信されてくる作業内容を示す作業内容データを受信する受信手段と、
前記作業内容データが示す作業内容を表示装置に表示させる表示指示手段と、
撮影タイミングを指示する指示データを取得する指示取得手段と、
撮影装置により生成された画像データを取得する画像取得手段と、
前記受信手段が前記検索条件データの送信に対する応答として複数の作業内容データを受信した場合、前記複数の作業内容データのなかからユーザにより選択された作業内容データを識別する作業識別データを取得する作業識別取得手段と
を備え、
前記送信手段は、前記指示データが示すタイミングにおいて前記撮影装置により生成された画像データを、前記作業識別データに対応付けて前記サーバ装置に送信する
端末装置。
【請求項２】
作業に関係する物理量を計測する計測装置により生成された計測結果データを取得する計測結果取得手段を備え、
前記送信手段は、前記タイミングにおいて前記計測装置により生成された計測結果データを前記サーバ装置に送信する
請求項１に記載の端末装置。
【請求項３】
前記送信手段は、前記指示データに基づき特定される前記作業内容データに応じた作業時間帯を示す作業時間帯データを前記サーバ装置に送信する
請求項１または２に記載の端末装置。
【請求項４】
前記画像取得手段は、予め定められた条件が満たされたタイミングで前記撮影装置により生成された静止画を示す画像データを取得し、
前記送信手段は、前記タイミングにおいて前記撮影装置により生成された、各々が静止画を示す複数の画像データを前記サーバ装置に送信する
請求項１乃至３のいずれか１項に記載の端末装置。
【請求項５】
前記受信手段は、前記作業内容データに応じた撮影タイミングに関する条件を示す撮影タイミング条件データを前記サーバ装置から受信し、
前記画像取得手段は、前記撮影タイミング条件データが示す条件が満たされたタイミングで前記撮影装置により生成された静止画を示す画像データを取得する
請求項４に記載の端末装置。
【請求項６】
前記撮影装置を内蔵する移動通信端末装置である
請求項１乃至５のいずれか１項に記載の端末装置。
【請求項７】
端末装置から作業内容の検索条件を示す検索条件データを受信する受信手段と、
前記検索条件データが示す検索条件を満たす作業内容を示す作業内容データを記憶装置から読み出す読出手段と、
前記作業内容データを前記端末装置に送信する送信手段と
を備え、
前記受信手段は、前記端末装置から画像データを受信し、
前記画像データを、前記作業内容データを識別する作業識別データに対応付けて前記記憶装置に記憶させる記憶指示手段を備え、
前記読出手段が、前記検索条件を満たす作業内容を各々示す複数の作業内容データを記憶装置から読み出した場合、
前記送信手段は、前記複数の作業内容データを前記端末装置に送信し、
前記受信手段は、前記端末装置から、前記複数の作業内容データのなかから前記端末装置のユーザにより選択された作業内容データを識別する作業識別データを受信し、
前記記憶指示手段は、前記画像データを、前記受信手段により受信された作業識別データに対応付けて前記記憶装置に記憶させる
サーバ装置。
【請求項８】
前記受信手段は、前記端末装置から作業に関係する物理量の計測結果を示す計測結果データを受信し、
前記記憶指示手段は、前記計測結果データを前記作業識別データに対応付けて前記記憶装置に記憶させる
請求項７に記載のサーバ装置。
【請求項９】
前記作業内容データに応じた作業時間帯を示す作業時間帯データを取得する作業時間帯取得手段と、
前記作業内容データに応じた作業位置を示す作業位置データを取得する作業位置取得手段と、
前記作業時間帯データが示す時間帯の前記作業位置データが示す作業位置における前記作業内容データに応じた作業に影響を与える事象を示す事象データを取得する事象取得手段と
を備え、
前記記憶指示手段は、前記事象データを前記作業識別データに対応付けて前記記憶装置に記憶させる
請求項７または８に記載のサーバ装置。
【請求項１０】
前記受信手段は、前記端末装置から各々が静止画を示す複数の画像データを受信し、
前記記憶指示手段は、前記複数の画像データを前記作業識別データに対応付けて前記記憶装置に記憶させる
請求項７乃至９のいずれか１項に記載のサーバ装置。
【請求項１１】
前記読出手段は、前記作業内容データに応じた撮影タイミングに関する条件を示す撮影タイミング条件データを前記記憶装置から読み出し、
前記送信手段は、前記撮影タイミング条件データを前記端末装置に送信する
請求項１０に記載のサーバ装置。
【請求項１２】
前記記憶指示手段は、前記作業識別データに応じたフォルダを前記記憶装置に作成させ、前記受信手段により受信された複数の画像データを当該フォルダに格納させる
請求項１１に記載のサーバ装置。
【請求項１３】
前記受信手段は、前記作業内容データに応じた作業時間帯を示す作業時間帯データを前記端末装置から受信し、
前記記憶指示手段は、前記作業時間帯データを前記作業識別データに対応付けて前記記憶装置に記憶させ、
前記読出手段は、或る作業対象に関する複数の作業内容の各々に関し、当該作業内容を識別する作業識別データに対応付けて記憶されている作業時間帯データを前記記憶装置から読み出し、
前記読出手段により読み出された作業時間帯データに基づき、前記或る作業対象に関する複数の作業内容に応じた作業の各々が行われた時間長または時間帯を示す作業実績データを生成する作業実績生成手段を備える
請求項７乃至１２のいずれか１項に記載のサーバ装置。
【請求項１４】
前記受信手段は、前記作業内容データに応じた作業時間帯を示す作業時間帯データを前記端末装置から受信し、
前記記憶指示手段は、前記作業時間帯データを前記作業識別データに対応付けて前記記憶装置に記憶させ、
前記読出手段は、複数の作業対象に関する同一または類似の作業内容の各々に関し、当該作業内容を識別する作業識別データに対応付けて記憶されている作業時間帯データを前記記憶装置から読み出し、
前記読出手段により読み出された作業時間帯データに基づき、前記同一または類似の作業内容に応じた作業の所要時間の統計量を示す所要時間データを生成する所要時間生成手段を備える
請求項７乃至１３のいずれか１項に記載のサーバ装置。
【請求項１５】
コンピュータに、
サーバ装置に作業内容の検索条件を示す検索条件データを送信する処理と、
前記検索条件データの送信に対する応答として前記サーバ装置から送信されてくる作業内容を示す作業内容データを受信する処理と、
前記作業内容データが示す作業内容を表示装置に表示させる処理と、
撮影タイミングを指示する指示データを取得する処理と、
撮影装置により生成された画像データを取得する処理と、
前記検索条件データの送信に対する応答として複数の作業内容データを受信した場合、前記複数の作業内容データのなかからユーザにより選択された作業内容データを識別する作業識別データを取得する処理と、
前記指示データが示すタイミングにおいて前記撮影装置により生成された画像データを、前記作業識別データに対応付けて前記サーバ装置に送信する処理と
を実行させるためのプログラム。
【請求項１６】
コンピュータに、
端末装置から作業内容の検索条件を示す検索条件データを受信する第１の処理と、
前記検索条件データが示す検索条件を満たす作業内容を示す作業内容データを記憶装置から読み出す第２の処理と、
前記作業内容データを前記端末装置に送信する第３の処理と、
前記端末装置から画像データを受信する第４の処理と、
前記画像データを、前記作業内容データを識別する作業識別データに対応付けて前記記憶装置に記憶させる第５の処理と
を実行させるためのプログラムであって、
前記第２の処理において前記検索条件を満たす作業内容を各々示す複数の作業内容データを記憶装置から読み出した場合、
前記第３の処理においては、前記複数の作業内容データを前記端末装置に送信し、
前記第４の処理においては、前記端末装置から、前記複数の作業内容データのなかから前記端末装置のユーザにより選択された作業内容データを識別する作業識別データと前記画像データとを受信し、
前記第５の処理においては、前記画像データを、前記受信された作業識別データに対応付けて前記記憶装置に記憶させる
プログラム。
【手続補正２】
【補正対象書類名】明細書
【補正対象項目名】０００５
【補正方法】変更
【補正の内容】
【０００５】
本発明は、サーバ装置に作業内容の検索条件を示す検索条件データを送信する送信手段と、前記検索条件データの送信に対する応答として前記サーバ装置から送信されてくる作業内容を示す作業内容データを受信する受信手段と、前記作業内容データが示す作業内容を表示装置に表示させる表示指示手段と、撮影タイミングを指示する指示データを取得する指示取得手段と、撮影装置により生成された画像データを取得する画像取得手段と、前記受信手段が前記検索条件データの送信に対する応答として複数の作業内容データを受信した場合、前記複数の作業内容データのなかからユーザにより選択された作業内容データを識別する作業識別データを取得する作業識別取得手段とを備え、前記送信手段は、前記指示データが示すタイミングにおいて前記撮影装置により生成された画像データを、前記作業識別データに対応付けて前記サーバ装置に送信する端末装置を提供する。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
また、上記の端末装置において、作業に関係する物理量を計測する計測装置により生成された計測結果データを取得する計測結果取得手段を備え、前記送信手段は、前記タイミングにおいて期間に前記計測装置により生成された計測結果データを前記サーバ装置に送信する、という構成が採用されてもよい。
【手続補正５】
【補正対象書類名】明細書
【補正対象項目名】０００８
【補正方法】変更
【補正の内容】
【０００８】
また、上記の端末装置において、前記送信手段は、前記指示データに基づき特定される前記作業内容データに応じた作業時間帯を示す作業時間帯データを前記サーバ装置に送信する、という構成が採用されてもよい。
【手続補正６】
【補正対象書類名】明細書
【補正対象項目名】０００９
【補正方法】変更
【補正の内容】
【０００９】
また、上記の端末装置において、前記画像取得手段は、予め定められた条件が満たされたタイミングで前記撮影装置により生成された静止画を示す画像データを取得し、前記送信手段は、前記タイミングにおいて前記撮影装置により生成された、各々が静止画を示す複数の画像データを前記サーバ装置に送信する、という構成が採用されてもよい。
【手続補正７】
【補正対象書類名】明細書
【補正対象項目名】００１２
【補正方法】変更
【補正の内容】
【００１２】
また、本発明は、端末装置から作業内容の検索条件を示す検索条件データを受信する受信手段と、前記検索条件データが示す検索条件を満たす作業内容を示す作業内容データを記憶装置から読み出す読出手段と、前記作業内容データを前記端末装置に送信する送信手段とを備え、前記受信手段は、前記端末装置から画像データを受信し、前記画像データを、前記作業内容データを識別する作業識別データに対応付けて前記記憶装置に記憶させる記憶指示手段を備え、前記読出手段が、前記検索条件を満たす作業内容を各々示す複数の作業内容データを記憶装置から読み出した場合、前記送信手段は、前記複数の作業内容データを前記端末装置に送信し、前記受信手段は、前記端末装置から、前記複数の作業内容データのなかから前記端末装置のユーザにより選択された作業内容データを識別する作業識別データを受信し、前記記憶指示手段は、前記画像データを、前記受信手段により受信された作業識別データに対応付けて前記記憶装置に記憶させるサーバ装置を提供する。
【手続補正８】
【補正対象書類名】明細書
【補正対象項目名】００１３
【補正方法】削除
【補正の内容】
【手続補正９】
【補正対象書類名】明細書
【補正対象項目名】００２１
【補正方法】変更
【補正の内容】
【００２１】
また、本発明は、コンピュータに、サーバ装置に作業内容の検索条件を示す検索条件データを送信する処理と、前記検索条件データの送信に対する応答として前記サーバ装置から送信されてくる作業内容を示す作業内容データを受信する処理と、前記作業内容データが示す作業内容を表示装置に表示させる処理と、撮影タイミングを指示する指示データを取得する処理と、撮影装置により生成された画像データを取得する処理と、前記検索条件データの送信に対する応答として複数の作業内容データを受信した場合、前記複数の作業内容データのなかからユーザにより選択された作業内容データを識別する作業識別データを取得する処理と、前記指示データが示すタイミングにおいて前記撮影装置により生成された画像データを、前記作業識別データに対応付けて前記サーバ装置に送信する処理とを実行させるためのプログラムを提供する。
【手続補正１０】
【補正対象書類名】明細書
【補正対象項目名】００２２
【補正方法】変更
【補正の内容】
【００２２】
また、本発明は、コンピュータに、端末装置から作業内容の検索条件を示す検索条件データを受信する第１の処理と、前記検索条件データが示す検索条件を満たす作業内容を示す作業内容データを記憶装置から読み出す第２の処理と、前記作業内容データを前記端末装置に送信する第３の処理と、前記端末装置から画像データを受信する第４の処理と、前記画像データを、前記作業内容データを識別する作業識別データに対応付けて前記記憶装置に記憶させる第５の処理とを実行させるためのプログラムであって、前記第２の処理において前記検索条件を満たす作業内容を各々示す複数の作業内容データを記憶装置から読み出した場合、前記第３の処理においては、前記複数の作業内容データを前記端末装置に送信し、前記第４の処理においては、前記端末装置から、前記複数の作業内容データのなかから前記端末装置のユーザにより選択された作業内容データを識別する作業識別データと前記画像データとを受信し、前記第５の処理においては、前記画像データを、前記受信された作業識別データに対応付けて前記記憶装置に記憶させるプログラムを提供する。
【国際調査報告】
2016143749.tif 000024
2016143749.tif 000025
2016143749.tif 000026
2016143749.tif 000027